(57)【要約】【課題】  ポリオレフィン系樹脂材料を用い、絵画を作成可能な絵画作成器具を提供する。【解決手段】  ポリオレフィン系合成樹脂製からなり、多数の凹部を有する凹凸状シートと、凹部に充填される充填剤とを備える絵画作成器具とする。凹凸状シートは、単位面積当たりの重量が５０グラム／ｍ2以上とし、充填剤は、食用材料から構成する。【選択図】        図３
2006102354.tif 000002
【特許請求の範囲】
【請求項１】
ポリオレフィン系合成樹脂製からなり、多数の凹部を有する凹凸状シートと、前記凹部に充填される充填剤とを備える絵画作成器具。
【請求項２】
前記凹凸状シートは、単位面積当たりの重量が５０グラム／ｍ2以上であることを特徴とする請求項１に記載の絵画作成器具。
【請求項３】
前記充填剤は、食用材料からなることを特徴とする請求項１または２に記載の絵画作成器具。
【請求項４】
前記充填剤は、気泡が封入された合成樹脂製気泡材からなることを特徴とする請求項１または２に記載の絵画作成器具。
【請求項５】
前記凹凸状シートにおける前記凹部に前記充填剤が充填されている側に設けられる平坦状シートを備えることを特徴とする請求項１ないし４のいずれか１つに記載の絵画作成器具。
【発明の詳細な説明】
【技術分野】
【０００１】
本発明は、絵画を作成するための絵画作成器具に関する。
【背景技術】
【０００２】
従来より、子供用玩具等で磁気パネル等を利用した描画が可能な絵画作成ボードが知られている。このような絵画作成ボードは塩化ビニル系材料を用いていることが多く、焼却処理の際にダイオキシン類を発生するおそれがあり、環境上好ましくない。また、材料として使用している塩化ビニルには、ＤＯＰ、ＤＢＰ等の可塑剤を含有しているため、幼児が口に入れたりする恐れがある本用途には不適当である。
【発明の開示】
【発明が解決しようとする課題】
【０００３】
そこで、焼却処理の際に有害ガスを発生しないポリオレフィン系樹脂材料を用いることが考えられるが、ポリオレフィン系樹脂材料は極性を有しているため、絵を直接描画することは困難であるという問題がある。
【０００４】
本発明は上記点に鑑み、ポリオレフィン系樹脂材料を用い、絵画を作成可能な絵画作成器具を提供することを目的とする。
【課題を解決するための手段】
【０００５】
上記目的を達成するため、請求項１に記載の発明では、ポリオレフィン系合成樹脂製からなり、多数の凹部を有する凹凸状シートと、凹部に充填される充填剤とを備えることを特徴としている。このように、凹凸状シートの凹部に充填剤を充填することで、容易に絵画を作成することが可能となる。また、ポリオレフィン製の合成樹脂を用いることで、燃やしても有毒成分が発生せず、焼却処分等の際にも環境負荷が小さいものとなる。さらに充填剤として弾性を有するものを用いれば、凹部に充填しやすくすることができ、充填剤として粘性を有するものを用いれば、凹部に充填した後に凹部から外れにくくすることができる。
【０００６】
また、請求項２に記載の発明では、凹凸状シートは、単位面積当たりの重量が５０グラム／ｍ2以上であることを特徴としている。これにより、凹凸状シートはある程度の強度を有することとなり、凹部に充填剤を充填する作業を行い易くなる。
【０００７】
また、請求項３に記載の発明では、充填剤は、食用材料からなることを特徴としている。これにより、例えば子供が誤って口に入れたような場合でも安全性を確保できる。
【０００８】
また、請求項４に記載の発明のように、充填剤として、気泡が封入された合成樹脂製気泡材を用いることもできる。
【０００９】
また、請求項５に記載の発明では、凹凸状シートにおける凹部に充填剤が充填されている側に設けられる平坦状シートを備えることを特徴としている。これにより、平坦状シートの凹部に充填した充填剤の粘性が弱くなったような場合にも、充填剤が凹部から脱落することを防止できる。
【発明を実施するための最良の形態】
【００１０】
以下、本発明の一実施形態について図１〜図４に基づいて説明する。本実施形態の絵画作成器具は、多数の凹部を有する凹凸状シートと、凹部に充填される充填剤とから構成されている。
【００１１】
図１は本実施形態の絵画作成器具を構成する凹凸状シート１０の平面図であり、図２は図１のＡ−Ａ断面図である。図１、図２に示すように、凹凸状シート１０は、エンボス加工により多数の円柱形状の凹部１１が形成されている。凹部１１には、後述の充填剤を充填して用いられる。
【００１２】
凹凸状シート１０は、ポリエチレンあるいはポリプロピレンといったポリオレフィン系の合成樹脂材料から構成されている。凹凸状シート１０は、透明あるいは半透明の材料から構成されている。また、凹凸状シート１０は、凹部１１に充填剤を充填する際の作業性を考慮すると、ある程度の強度を有していることが望ましく、単位面積当たりの重量（目付重量）が５０グラム／ｍ2以上であることが望ましい。本実施形態では、単位面積当たりの重量（目付重量）が１００グラム／ｍ2のポリエチレンフィルムを用いている。
【００１３】
このような凹凸パターンを有する凹凸状シート１０は、例えばフラットダイから供給された平坦状シートを加熱し、これを表面に多数の凹部が設けられた成形ロール上で真空引きすることで形成することができる。
【００１４】
凹凸状シート１０の凹部１１に充填される充填剤は、食用材料を用いて構成されている。本実施形態では、充填剤として周知の小麦粉粘土を用いている。小麦粉粘土は、小麦粉に水を加えて混練して弾性及び粘性を持たせたものである。小麦粉に着色剤として例えば食紅を混入することで、任意の色がついた小麦粉粘土を得ることができる。小麦粉粘土は、食用材料から構成され人体に無害であるので、例えば子供が誤って口に入れたような場合でも安全性を確保できる。
【００１５】
図３は、凹凸状シート１０の凹部１１に充填剤１２を充填している状態を示す斜視図である。充填剤１２は凹部１１の大きさに合わせた大きさとなっており、図３に示すように、手で充填剤１２を１つずつ凹凸状シート１０の凹部１１に詰めていく。小麦粉粘土からなる充填剤１２は弾性を有しているので、凹部１１に充填しやすく、さらに充填剤１２は粘性を有しているので、凹部１１に充填した後に凹部１１から外れにくいという利点を有する。
【００１６】
充填剤１２は、ある程度の大きさを有する塊の状態のものを用意して、凹凸状シート１０の凹部１１に充填する際に、凹部１１の大きさに合わせてちぎってもよく、あるいは予め凹部１１に合わせた大きさのものを用意してもよい。
【００１７】
図４は、凹凸状シート１０の凹部１１に充填剤１２を充填した状態を示す平面図である。図４に示すように、凹凸状シート１０における任意の凹部１１に充填剤１２を充填することで、モザイクあるいは点描のようにして所望の絵を作成させることができる。
【００１８】
以上説明した絵画作成器具では、ポリオレフィン製の合成樹脂を用いているため、燃やしても有毒成分が発生せず、焼却処分等の際にも環境負荷が小さいものとなる。また、凹凸状シート１０の凹部１１に粘性を有する充填剤１２を充填することで、容易に絵画を作成することが可能となる。さらに、充填剤１２として食用材料を用いることで、充填剤１２を誤って口に入れた場合にも安全性を高くすることができ、子供用おもちゃとしても好適に用いることができる。
【００１９】
また、凹凸状シート１０として透明あるいは半透明な合成樹脂を用いることで、充填剤１２が充填された複数の凹凸状シート１０を重ね合わせて所望の絵を作成することもできる。
【００２０】
（他の実施形態）
なお、上記実施形態では、充填剤１２として小麦粉粘土を用いたが、食用材料でかつ弾性及び粘性を有していればよく、コーンスターチ等のでんぷん系材料を用いてもよい。
【００２１】
さらに、充填剤１２として、気泡が封入された合成樹脂製気泡材を用いることもできる。例えば、凹凸状シート１０の凹部１１の開口面に合成樹脂製平坦状シートを接合することで多数の気泡部を有する気泡シートが得られるが、このような気泡シートの気泡部を１つずつ分離することで、気泡が封入された合成樹脂製気泡材を得ることができる。充填剤１２として用いる合成樹脂製気泡材を、凹凸状シート１０の凹部１１とほぼ同じ大きさとすることで、凹凸状シート１０の凹部１１に充填した後で凹部１１から脱落しにくくすることができる。
【００２２】
また、上記実施形態では、凹凸状シート１０の凹部１１を円柱形状としたが、これに限らず、凹部１１を図５に示すようなハート形としてもよく、あるいは四角形、星形等の形状としてもよい。
【００２３】
また、上記実施形態では、凹凸状シート１０として単位面積当たりの重量（目付重量）が１００グラム／ｍ2の薄肉のポリエチレンフィルムを用いたが、単位面積当たりの重量がより重い厚肉の合成樹脂ボード（例えば単位面積当たりの重量５００グラム／ｍ2程度）も好適に用いることができる。このような合成樹脂ボードとしては、図６に示すような凹凸状シート１０の凹部１１が突出している側に平坦状のライナーシート１３を接合した二層品を好適に用いることができる。
【００２４】
また、図７に示すように、凹凸状シート１０の凹部１１に充填剤１２を充填した後で、凹凸状シート１０の凹部１１の開口部側（充填剤１２が充填される側）に合成樹脂製の平坦状シート１４を貼り付けるようにしてもよい。これにより、凹部１１に充填した充填剤１２の粘性が弱くなったような場合にも、平坦状シート１４で凹部１１に蓋をすることができ、充填剤１２が凹部１１から脱落することを防止できる。平坦状シートとして自己粘着性を有するフィルムを用いれば、平坦状シートを容易かつ確実に凹凸状シート１０に固定することができる。
【００２５】
さらに、図８に示すように、凹部１１に充填剤１２が充填された凹凸状シート１０を透明な合成樹脂シートを袋状にした合成樹脂バッグ１５内に収納するようにしてもよい。これによっても、凹部１１に充填した充填剤１２の粘性が弱くなったような場合に、合成樹脂バッグ１５の内壁面で凹部１１に蓋をすることができ、充填剤１２が凹部１１から脱落することを防止できる。
【図面の簡単な説明】
【００２６】
【図１】上記実施形態の凹凸状シートの平面図である。
【図２】図１のＡ−Ａ断面図である。
【図３】平坦状シートの凹部に充填剤を充填している状態を示す斜視図である。
【図４】凹凸状シートの凹部に充填剤を充填した状態を示す平面図である。
【図５】凹凸状シートの変形例を示す平面図である。
【図６】凹凸状シートの変形例を示す斜視図である。
【図７】凹凸状シートに蓋としての平坦状シートを設けた状態を示す斜視図である。
【図８】凹部に充填剤が充填された平坦状シートを合成樹脂バッグに収納した状態を示す斜視図である。
【符号の説明】
【００２７】
１０…平坦状シート、１１…凹部、１２…充填剤。
【図１】
2006102354.tif 000003
【図２】
2006102354.tif 000004
【図３】
2006102354.tif 000005
【図４】
2006102354.tif 000006
【図５】
2006102354.tif 000007
【図６】
2006102354.tif 000008
【図７】
2006102354.tif 000009
【図８】
2006102354.tif 000010